(57)【要約】本発明は、物体又は物体部分（４）の光強度を測定するために使用される装置に関する。本発明の装置は、物体（４）により拡散された光から、交差しない二つの同じタイプのビームを生成できる、互いに独立した中央屈折型部（３）及び周縁反射屈折型部（２）と、前記ビームの像を生成するために画像化装置（６）に連結される空間ビデオセンサ（７）とを具備する。
2007508532.tif 000002
【特許請求の範囲】
【請求項１】
物体又は物体部分（４）の光強度を測定する装置であって、該装置は、
・前記物体（４）が屈折型中央部分（３）の物体焦点（Ｆ１）に置かれた場合に、前記屈折型中央部分（３）の光学軸（Ｈ）に対して小さな傾斜角（θｃ）で前記物体又は物体部分（４）により拡散された光から第一視準ビームを生成できるようにした屈折型中央部分（３）と、
・前記屈折型中央部分（３）の前記光学軸（Ｈ）及び前記物体焦点（Ｆ１）にそれぞれ一致する光学軸（Ｈ）及び物体焦点（Ｆ１）のパラボラ反射体（２）であって、前記反射体（２）は前記屈折型中央部分（３）から独立し、前記光学軸（Ｈ）に対して大きな傾斜角（θｐ）で前記物体又は物体部分（４）により拡散された光から第二視準ビームを生成するのに適しており、前記第二ビームの光線（ｒｐ）は、前記二つの部分（２と３）の出口に設置された対物面（Ｐ）で前記第一ビームの光線（ｒｃ）に交差しないことと
を具備し、
前記測定装置は、更に、
・対物面（Ｐ）で前記第一及び第二ビームの画像を得るための画像化装置（６）に関連付けられた二次元ビデオセンサ（７）であって、前記ビームの各光線（ｒｐ、ｒｃ）は、前記対物面（Ｐ）で前記傾斜角（θｐ、θｃ）の関数である前記光学軸（Ｈ）からの距離（ｈｐ、ｈｃ）を有することと、
・前記傾斜角（θｐ、θｃ）の関数として前記第一及び第二ビームの光線（ｒｐ、ｒｃ）の強度を前記画像から測定する測定手段と
を具備することを特徴とする測定装置。
【請求項２】
物体又は物体部分（４）の光強度を測定する装置であって、該装置は、
・前記物体（４）が屈折型中央部分（３）の物体焦点（Ｆ１）に置かれた場合に、前記屈折型中央部分（３）の光学軸（Ｈ）に対して小さな傾斜角（θｃ）で前記物体又は物体部分（４）により拡散された光から第一視準ビームを生成できるようにした屈折型中央部分（３）と、
・前記屈折型中央部分（３）の前記光学軸（Ｈ）及び前記物体焦点（Ｆ１）にそれぞれ一致する光学軸（Ｈ）及び物体焦点（Ｆ１）の反射屈折型周縁部分（２）であって、前記反射屈折型周縁部分（２）は前記屈折型中央部分（３）から独立し、前記光学軸（Ｈ）に対して大きな傾斜角（θｐ）で前記物体又は物体部分（４）により拡散された光から第二視準ビームを生成するのに適しており、前記第二ビームの光線（ｒｐ）は、前記二つの部分（２と３）の出口に設置された対物面（Ｐ）で前記第一ビームの光線（ｒｃ）に交差しないことと
を具備し、
前記測定装置は、更に、
・対物面（Ｐ）で第一及び第二ビームの画像を得るための画像化装置（６）に関連付けられた二次元ビデオセンサ（７）であって、前記ビームの各光線（ｒｐ、ｒｃ）は、前記対物面（Ｐ）で前記傾斜角（θｐ、θｃ）の関数である前記光学軸（Ｈ）からの距離（ｈｐ、ｈｃ）を有することと、
・前記傾斜角（θｐ、θｃ）の関数として前記第一及び第二ビームの光線（ｒｐ、ｒｃ）の強度を前記画像から測定する測定手段と
を具備することを特徴とする測定装置。
【請求項３】
物体又は物体部分（４）の光強度を測定する装置であって、該装置は、
・前記物体（４）が屈折型中央部分（３）の物体焦点（Ｆ１）に置かれた場合に、前記屈折型中央部分（３）の光学軸（Ｈ）に対して小さな傾斜角（θｃ）で前記物体又は物体部分（４）により拡散された光から第一収束ビームを生成できるようにした屈折型中央部分（３）と、
・前記屈折型中央部分（３）の前記光学軸（Ｈ）及び前記物体焦点（Ｆ１）にそれぞれ一致する光学軸（Ｈ）及び物体焦点（Ｆ１）の楕円反射体（２）であって、前記楕円反射体（２）は、前記物体（４）が前記物体焦点（Ｆ１）に置かれた場合に、前記光学軸（Ｈ）に対して大きな傾斜角（θｐ）で前記物体又は物体部分（４）により拡散された光から第二収束ビームを生成するのに適しており、前記屈折型中央部分（３）及び前記楕円反射体（２）は、第一及び第二ビームの光線（ｒｐとｒｃ）が共通の焦点（Ｆ３）上に収束するような方法で配置され、前記反射体（２）は前記屈折型中央部分（３）から独立し、前記第二ビームの光線（ｒｐ）は、前記二つの部分（２と３）の出口に設置される対物面（Ｐ）で前記第一ビームの光線（ｒｃ）に交差しないことと
を具備し、
前記測定装置は、更に、
・対物面（Ｐ）で第一及び第二ビームの画像を得るための画像化装置（６）に関連付けられた二次元ビデオセンサ（７）であって、前記ビームの各光線（ｒｐ、ｒｃ）は、前記対物面（Ｐ）で前記傾斜角（θｐ、θｃ）の関数である前記光学軸（Ｈ）からの距離（ｈｐ、ｈｃ）を有することと、
・前記傾斜角（θｐ、θｃ）の関数として前記第一及び第二ビームの光線（ｒｐ、ｒｃ）の強度を前記画像から測定する測定手段と
を具備することを特徴とする測定装置。
【請求項４】
物体又は物体部分（４）の光強度を測定する装置であって、該装置は、
・前記界面（３）の光学軸（Ｈ）に対して小さな傾斜角（θｃ）で前記物体又は物体部分（４）により拡散された光から第一収束ビームを生成できるようにした収束非球面界面（３）により構成された屈折型中央部分（３）と、
・前記屈折型中央部分（３）の前記光学軸（Ｈ）及び前記物体焦点（Ｆ１）にそれぞれ一致する光学軸（Ｈ）及び物体焦点（Ｆ１）の反射屈折型周縁部分（２）であって、前記反射屈折型周縁部分（２）は前記屈折型中央部分（３）から独立し、前記反射屈折型周縁部分（２）は前記光学軸（Ｈ）に対して大きな傾斜角（θｐ）で前記物体又は物体部分（４）により拡散された光から第二収束ビームを生成するのに適しており、前記第二ビームの光線（ｒｐ）は、前記二つの部分（２と３）の出口に設置された対物面（Ｐ）で前記第一ビームの光線（ｒｃ）に交差しないことと
を具備し、
前記測定装置は、更に、
・対物面（Ｐ）で第一及び第二ビームの画像を得るための画像化装置（６）に関連付けられた二次元ビデオセンサ（７）であって、前記ビームの各光線（ｒｐ、ｒｃ）は、前記物体平面（Ｐ）で前記傾斜角（θｐ、θｃ）の関数である前記光学軸（Ｈ）からの距離（ｈｐ、ｈｃ）を有することと、
・前記傾斜角（θｐ、θｃ）の関数として前記第一及び第二ビームの光線（ｒｐ、ｒｃ）の強度を前記画像から測定する測定手段と
を具備することを特徴とする測定装置。
【請求項５】
前記第一及び第二ビームは共通の焦点（Ｆ３）上に収束し、前記ビデオセンサ（７）の画像化装置（６）は前記焦点（Ｆ３）に設置されることを特徴とする請求項３又は４に記載の測定装置。
【請求項６】
前記第一及び第二ビームは視準ビームであり、前記測定装置は更に、前記画像化装置（６）が設置される焦点（Ｆ２）上に前記ビームを収束させるための視野レンズ（５）を具備することを特徴とする請求項１又は２に記載の測定装置。
【請求項７】
前記第一及び第二ビームは視準ビームであり、前記画像化装置はテレセントリック集光レンズ（６’）であることを特徴とする請求項１又は２に記載の測定装置。
【請求項８】
前記屈折型中央部分（３）は、収束非球面レンズ（３）か、球面レンズ一式から構成されたレンズか、又は、フレネル（Ｆｒｅｓｎｅｌ）レンズであることを特徴とする請求項１から７のいずれか一つに記載の測定装置。
【請求項９】
前記測定装置は更に、
・前記光学軸（Ｈ）に対して所定の入射角（α）で、前記物体又は物体部分（４）により受容される視準光線を生成できるようにした少なくとも一つの光源を具備し、
・前記測定手段は、前記所定の入射角（α１、α２）の関数として、前記物体又は物体部分（４）により反射される前記第一及び第二ビームの光線の強度を測定するように構成されることを特徴とする請求項１から８のいずれか一つに記載の測定装置。
【請求項１０】
前記少なくとも一つの光源は、レーザ又は半導体レーザであることを特徴とする請求項９に記載の測定装置。
【請求項１１】
前記視準光線を生成するために前記少なくとも一つの光源は、
ＬＥＤ（１３）と、
任意に、視準レンズ（１６）の焦点に設置された視野絞り（１４）と、
前記視準レンズの近くに設置された開口絞り（１５）と
を具備することを特徴とする請求項９又は１０に記載の測定装置。
【請求項１２】
前記少なくとも一つの光源は白色光源であり、
前記測定手段は、前記光線の波長の少なくとも一つによって第一及び第二ビームの光線（ｒｐ、ｒｃ）の強度を測定するように構成されることを特徴とする請求項９から１１のいずれか一つに記載の測定装置。
【請求項１３】
前記測定手段は、眼が感じやすい原色（赤、緑、青）の関数として、前記第一及び第二ビームの光線（ｒｐ、ｒｃ）の強度を測定するように構成されることを特徴とする請求項１２に記載の測定装置。
【請求項１４】
前記測定装置は複数の定置式視準光線光源を含み、各光源は他の光源から独立し、各光源は、光源に特異的な入射角（α）で前記物体又は物体部分（４）により受容されるビームを生成するように構成されることを特徴とする請求項９から１３のいずれか一つに記載の測定装置。
【請求項１５】
更に、前記複数の光源のスイッチを順に入れるのに適した制御手段を具備することを特徴とする請求項１４に記載の測定装置。
【請求項１６】
所定の可変入射角（α）で前記物体又は物体部分（４）により受容される光線を生成できるようにした単一の可変式光源を具備することを特徴とする請求項９から１３のいずれか一つに記載の測定装置。
【請求項１７】
前記単一光源（１”）がレール（３０）上を並進して移動できることを特徴とする請求項１６に記載の測定装置。
【請求項１８】
前記単一光源は、前記視野レンズ（５）と前記観察手段との間に設置された半反射板（１８）に対して、前記視野レンズ（５）の画像焦点（Ｆ４）を中心に回転するように移動でき、前記半反射板（１８）は、
・前記単一光源（１”’）により生成された前記視準光線を前記物体又は物体部分（４）の方向へ反射するように、及び
・前記視野レンズ（５）により送達される前記第一及び第二収束ビームを通過するように構成されることを特徴とする請求項６及び１７に記載の測定装置。
【請求項１９】
更に、前記物体又は物体部分（４）のＢＲＤＦ、ＢＴＤＦ又はＢＳＤＦの測定値を再構築するため、及び、媒体にそれらを記録するための手段を具備することを特徴とする請求項１から１８のいずれか一つに記載の測定装置。
【請求項２０】
物体又は物体部分（４）に手が届き難い場合に、特に現場で物体又は物体部分（４）のＢＲＤＦ、ＢＴＤＦ又はＢＳＤＦを測定するための請求項１から１９のいずれか一つに記載の測定装置の用途。
【請求項２１】
異方性の表面を示す物体（４）又は物体部分（４）のＢＲＤＦを測定するための請求項２０に記載の測定装置の用途。
【請求項２２】
前記物体（４）により構成される光源の強度パターンを測定するための請求項１から１９のいずれか一つに記載の測定装置の用途。
【請求項２３】
物体又は物体部分の光学特性をシミュレーションする機能を実行するコンピュータプログラムであって、該プログラムは、請求項１〜１９のいずれか一つによる測定装置と同じタイプの実在の物体（４）から得られた光強度測定値を用いることを特徴とするコンピュータプログラム。
【請求項２４】
コンピュータ援用設計プログラム又は光シミュレーション・プログラムであることを特徴とする請求項２３に記載のコンピュータプログラム。
【発明の詳細な説明】
【技術分野】
【０００１】
本発明は、物体からの光強度を測定する装置とそのような装置の用途に関する。
本発明は、制限するものではないが、具体的には、物体又は物体部分の双方向反射分布関数（ＢＲＤＦ）の測定に適用する。
【０００２】
ＢＲＤＦは、照射時に表面により拡散された光の強度を特性化する数学関数である。ＢＲＤＦは、観察方向、照射の入射角、波長及び偏光の関数として、拡散された光量を提供する。
【０００３】
本発明は、また、双方向透過分布関数（ＢＴＤＦ）、より一般的には、双方向散乱分布関数（ＢＳＤＦ）の測定、及び、光源と材料からのバルク拡散の強度パターンの測定に適用する。
【０００４】
初めて知られた適用において、ＢＲＤＦ測定を用いて、航空機のサインを特性化することができる。
【背景技術】
【０００５】
ここ数年、ＢＲＤＦ測定は、画像合成用、コンピュータ援用設計（ＣＡＤ）用、及び、光に反応して表面の挙動をシミュレートするための光シミュレーション用のソフトウェアに用いられてきた。
【０００６】
このため、このようなソフトウェアを、例えば、ライブラリ形式や、シミュレーションが望まれる光挙動を提示する様々なタイプの物体又は表面に関して実験室で行なわれるリアルＢＲＤＦ測定形式で使用する。
【０００７】
このようなＢＲＤＦ測定を行なうため、最も公知の装置は、特性化すべき物体試料を使用する。その試料は、小さな寸法であり、典型的には約１０センチメートル（ｃｍ）でなければならない。
【０００８】
このような測定装置は、一般的に、端部に設置された検出器を備えた大規模な多関節アームを具備する。結果的に、それらは嵩高く、重く、実際上は輸送が困難である。
更に、このような装置で測定値を得るのに要する時間は、特にセンサの移動のため、非常に長くなる。
【０００９】
従って、それらは、専ら実験室での測定に使用され、現場での測定には適さない。
本発明の目的は、携帯できる妥当なサイズのもので、現場での使用に適し、測定時間が非常に短いことにより、測定を殆ど瞬間的に行なえるようにするＢＲＤＦ測定装置を得ることにある。
【００１０】
特許文献１（デービス（Ｄａｖｉｓ））は、例えば、自動車表面の特定の光学特性を測定する現場での使用に適したＢＲＤＦ測定装置を記載している。
その図５を参照すると、デービス（Ｄａｖｉｓ）は、特性化すべき物体により反射された光を集めるシステムを具備する装置の実施例を記載する。その装置は、二つのレンズと楕円反射体により構成されている。
【００１１】
より正確には、その実施例では、特性化すべき物体の試料が楕円反射体の第一焦点に置かれ、試料により反射された光の焦点は、楕円反射体の第二焦点上に合わせられる。
前記第二焦点に置かれた第一レンズは、
・試料により反射されるが楕円反射体によっては反射されない光線を焦点合わせし、
・楕円反射体により反射された光線の偏光を防止するように、
配置される。
【００１２】
デービス（Ｄａｖｉｓ）のシステムは、第一レンズの下流に第二レンズを使用する。前記第二レンズは、第一レンズにより集められた光線を視準する第一光学部分と、楕円反射体により集められた光線を視準する第二光学部分との両方を有することに注目すべきである。従って、この特殊な第二レンズは、上述した二つの光学部分間の接合点に、不連続性を示す。
【００１３】
この不連続性により、正確に整列されるべき楕円反射体と、上記に述べた二つのレンズとが必要になる。そうでなければ、楕円反射体により反射された光線は、第一レンズにより集束した光線と混合されてしまうからである。その逆も同様である。この問題は、当業者には用語“クロストーク”として公知である。
【００１４】
特許文献２（東芝（Ｔｏｓｈｉｂａ））は、物体の光強度を測定するコンパクトな装置を記載している。この装置は、コンデンサ・レンズと反射性管形体とを備え、表面配列センサが、その出口に配置される。
【特許文献１】米国特許第５６３７８７３号明細書
【特許文献２】特開昭６３−１４０９０４号公報
【発明の開示】
【発明が解決しようとする課題】
【００１５】
明快に述べられていないが、当業者は、この装置の物理的実施例では、物体により拡散された光の全てを集めるために、大きなサイズ（典型的には、対角線が５０ミリメートル（ｍｍ）より大きなサイズ）のセンサ配列を必要とする。
【００１６】
従って、東芝（Ｔｏｓｈｉｂａ）の測定装置には、現在公知の標準センサ（対角線が約１２．７ｍｍ）を使用できないので、製造するには当然高くつく。
この問題を解決する解決策の一つは、反射式管形体とセンサ配列との間に、アフォーカル系（aforcal system）を加えることである。これは、光視準を保存しながら、出口ビーム断面を減らせるようにするものである。このタイプの配列は、実際にデービス（Ｄａｖｉｓ）のシステムで用いられ、この装置は、小型ビデオセンサを用いて、大きな直径のビームを観察できるようにしている。
【００１７】
しかし、この解決策の主な欠点は、観察面が反射式管形体から遠ざかるように移動することである。ビームの広がりは正確には決してゼロでないので、特に、測定用試料が大きな領域にわたって照射された場合に、観察面での分解能がそれに対応して劣化してしまう。従って、東芝（Ｔｏｓｈｉｂａ）の装置は、拡散光の強度パターンを正確に角度測定することができない。
【００１８】
本発明は、上記に述べた欠点を解決できるようにするものである。
【課題を解決するための手段】
【００１９】
そのため、本発明は、物体又は物体部分の光強度を測定する装置を提供する。該装置は、
・前記物体が屈折型中央部分の物体焦点に配置された場合に、前記屈折型中央部分の光学軸に対して小さな傾斜角で前記物体又は物体部分により拡散された光から第一視準又は収束ビームを生成できるようにした屈折型中央部分と；
・前記屈折型中央部分の前記光学軸及び前記物体焦点にそれぞれ一致する光学軸と物体焦点の反射屈折型周縁部分であって、前記反射屈折型周縁部分は前記屈折型中央部分から独立し、前記反射屈折型周縁部分は、前記光学軸に対して大きな傾斜角で前記物体又は物体部分により拡散された光から、前記第一ビームと同じ種類の第二ビームを生成するのに適し、前記第二ビームの光線は前記第一ビームの光線を横切らないことと；
・対物面で前記第一及び第二ビームの画像を得る画像化装置に関連付けられた二次元ビデオセンサであって、前記ビームの各光線は、前記対物面で前記傾斜角の関数である前記光学軸からの距離を有することと、
前記傾斜角の関数として前記第一及び第二ビームの光線の強度を前記画像から測定する測定手段とを具備する。
【００２０】
本発明の測定装置の二次元ビデオセンサは、特に、ＣＣＤ、トリプルＣＣＤ、ＣＭＯＳ、又は、陰極線管タイプの二次元ビデオセンサにより構成することができる。
優れた角度分解能を保証しつつ信号を集めるため、本発明で使用する画像化装置は、任意の様式のビデオセンサに関連付けできることに先ず注目すべきであり、これは、上記に簡単に示した東芝（Ｔｏｓｈｉｂａ）システムには当てはまらない。
【００２１】
更に、屈折型中央部分と反射屈折型周縁部分とにより構成される本発明の装置の集光器システムは、二つの光学要素しか含まないので、三つの光学要素（楕円反射体、第一レンズ、及び、特殊な第二レンズ）を備えたデービス（Ｄａｖｉｓ）の装置と比較して、コスト及び組立て容易さに関して明確な有益性を示す。
【００２２】
とりわけ、最も有益なやり方で、傾斜角の関数として、物体により拡散された光線を二つのビームに分けるのに役立つ本発明の装置の屈折型中央部分及び反射屈折型周縁部分は、それら自体が独立し、互いに相関しない。
【００２３】
二つの異なる部分、つまり周縁部分及び中央部分の、この装置の特に有益な配置は、交差しない二つの光線のビームを得られるようにするものであるため、この装置の配置によって、大きな組立て公差を与える。よって、上述したクロストークの問題を大幅に低減する。
【００２４】
また、本発明の測定装置は、標準部品（画像化装置に関連付けられた二次元ビデオセンサ）を使用するので、上記に簡単に示した東芝（Ｔｏｓｈｉｂａ）の装置よりも、非常に低い製造コストを得られることに注目すべきである。
【００２５】
二次元ビデオセンサに関連付けられた画像化装置は、特に、ビデオセンサについて上記で定義したような集光器により送達された光を画像化する公知の機能を実行する集光レンズによって、構成してもよい。
【００２６】
この好適配置により、ビデオセンサを好適にオフセットできるようになるので、特に、測定用試料が大きな領域にわたって照射された場合に、本発明の測定装置の解像度を改善できる。
【００２７】
これは、観察手段が、ビデオセンサ上に直接に光線を投射するためのアフォーカルシステムを製造するために配置された第三及び第四レンズにより構成されるデービス（Ｄａｖｉｓ）の文献に記載された装置よりも、非常に優れた解像度を示す測定装置を提供する。
【００２８】
その結果として、本発明の好適実施例は、粒状又は織り目の写った表面を特性化するのに特に適している。その場合、このような測定は、特性化すべき物体の比較的大きな領域を照射しなければならない。
【００２９】
変更例において、画像化装置は、特に、光源が小領域にわたって測定用試料を照射する場合に、ピンホールにより構成してもよい。これは、本発明の測定装置のコスト低下を可能にするが、測定の相対精度を損なうおそれがある。
【００３０】
第一及び第二ビームの光線を、画像化装置上に収束させる二つの好適な変更実施例を以下に記載する。
本発明の測定装置の二つの主要な変更例を想定することができる。
【００３１】
第一変更例において、それぞれ屈折型中央部分及び反射屈折型周縁部分からくる第一及び第二ビームは、画像化装置が設置される共通の焦点に収束する。
この第一変更実施例は、視野レンズを省略できるようにするので、コンパクトな装置が得られる。
【００３２】
第二変更例において、上記に述べた二つのビームが視準される。
この第二変更例の第二実施例において、本発明の測定装置は、視準ビームを、画像化装置が設置される焦点に収束させる視野レンズを備える。
【００３３】
この第二実施例は、設計が非常に簡素なので、様々な光学要素の設置について、ある程度の柔軟性を示す。
第三変更例は、テレセントリックレンズを使用することができる。このタイプのレンズは、入口視準光線を受け取る。つまり、光線を収束させる必要がない。
【００３４】
本発明において、様々なタイプの屈折型中央部分、特に、コンパクトな構造を好適に得られるようにする収束非球面レンズを使用することができる。
別の実施例において、屈折型中央部分は、球面レンズ一式により構成されるレンズなので、色彩収差を補正できるようにする。照射は広域光源を使用するので、それによって得られる測定精度は、大きく改善される。更に、球面レンズの組み立て及び品質管理は、特に簡単である。
【００３５】
更に別の実施例において、屈折型中央部分は、フレネル（Ｆｒｅｓｎｅｌ）レンズである。この要素は、厚さが非常に薄い（通常、ミリメータ程度である）ので、本発明の測定装置のサイズ、重量、材料の量及び価格を減らすことができる。
【００３６】
二つの第一変更実施例において、反射屈折型周縁部分は、鏡面反射体を用い、おそらく反射体材料が反射処理を受ける必要があるパラボラ反射体又は楕円反射体により構成されてもよい。これらの変更例は、ほとんど材料を必要とせず、安価な実施例を構成する。
【００３７】
第三変更実施例において、反射屈折型周縁部分は、
・大きな傾斜角で物体又は物体部分により拡散された光の入口界面と、
・全内部反射により効果的に作用する反射面と、
・第二ビームの出口界面と
を具備する。
【００３８】
反射処理を必要としないこの第三変更実施例は、光の損失を好適に防止できる。次に、中央部分と周縁部分は、単一ブロックとしても作製することができる。
好適実施例において、本発明の測定装置は、更に、
・前記光学軸に対して所定の入射角で物体又は物体部分により受容される視準光線を生成できるようにした少なくとも一つの光源と、
・前記の所定入射角の関数として、物体により反射された第一及び第二ビームの光線の強度を測定できるようにした測定手段と
を具備する。
【００３９】
好適なことに、この実施例は、前記物体の照射角の関数として物体のＢＲＤＦを測定できる。
光源は、特に、レーザ又は半導体レーザにより構成されてもよい。
【００４０】
それにもかかわらず、好適なことに光源は、発光ダイオード（ＬＥＤ）からの光線の発散を制御する視野絞りと、その断面を制御する開口絞りと、そして、コリメータレンズとを、ＬＥＤに結合することにより、構成することができる。
【００４１】
このような光源は、小さな断面及び所定の発散を示す照射ビームを得られる。
コストを下げるために、開口絞り又はコリメータレンズを省略する、簡略化した光源を想定することも可能である。
【００４２】
その光源は、好ましくは白色光源であり、測定手段は、前記光線の波長の関数として第一及び第二ビームの光線の強度を測定するように構成される。
光スペクトルの影響を考慮に入れたこの実施例は、虹色表面のＢＲＤＦを特性化できる。
【００４３】
いわゆる“視覚的”用途の変更例において、カラービデオセンサのような測定手段は、人間の目が感じ易い原色（赤、緑、青）の関数として第一及び第二ビームの光線の強度を測定するように構成される。
【００４４】
このようなセンサは、特に、皮膚、化粧品又は特定の車体に使用されるような虹色塗料の視覚的外観を再生できる。
他の用途では、モノクロビデオカメラの前に連続して置かれるカラーフィルタ（例えば、二色性又は干渉性フィルタ）の一式を使用することができる。これは、スペクトルの関数として、次に完全ＢＲＤＦを再構成するため、波長対波長でＢＲＤＦを測定できる。
【００４５】
もちろん、モノクロセンサを用いて、スペクトルに依存しない簡略化ＢＲＤＦを得ることも可能である。センサは、オプトロニック、軍用及び／又は宇宙用途の赤外ＢＲＤＦ測定値を得るために、特に、近赤外又は遠赤外の波長に対して感受性があってもよい。
【００４６】
第一実施例において、本発明の測定装置は、視準光線の複数の定置式光源を備え、各光源は他の光源から独立し、そして各光源は、光源に特異的な入射角で特性化すべき物体により受容される光線を生成するように構成される。
【００４７】
電磁理論と実践経験により、物体の表面が高い拡散性を有しても、全ＢＲＤＦ関数が入射角に依存することが示されれば、この測定装置を物体のＢＲＤＦ測定に使用する場合に、この実施例は特に好適である。
【００４８】
この実施例において、本発明のＢＲＤＦ測定装置は、移動式光源を持たないので、現場で測定を行なうべき携帯型装置に重要な特徴を構成する。
この実施例において、各定置式光源は、順に活性化され、物体のＢＲＤＦは、物体を照射する視準ビームの入射角の関数として測定される。
【００４９】
好ましくは、本発明の測定装置は、特に、連続して様々な光源のスイッチを入れられるようにしたソフトウェア形式の制御手段を有する。
先行技術の東芝（Ｔｏｓｈｉｂａ）の装置は、変化しない標準入射角で中央収束レンズにより試料上に集束される視準光線を放出できるようにした唯一つの定置式光源を有することに、この時点で注目すべきである。
【００５０】
従って、東芝（Ｔｏｓｈｉｂａ）の装置は、虹色塗料に要求されるような照射入射角の関数としてＢＲＤＦ関数を測定することができない。従って、その重要な制限は、本発明により取り除かれる。
【００５１】
別の実施例において、異なる所定入射角で特性化すべき物体又は物体部分を照射できるようにした、単一の可動式光源が使用される。
例示として、光源はレール上を並進して移動してもよい。
【００５２】
上記に述べた第二変更例の第二実施例において、前記視野レンズと画像化装置との間に配置された半反射板に対して、視野レンズの画像焦点を中心として回転して移動できる単一光源を使用することが好適である。半反射板は、
・単一光源により生成された視準光線を、特性化すべき物体の方向へ反射させるように、更に、
・視野レンズにより送達されるような第一及び第二収束ビームを通過するように、
構成される。
【００５３】
この実施例は、異方性の表面を示す物体又は物体部分のＢＲＤＦを測定するのに使用することができる。もちろん、測定すべき物体に対して９０°まで装置を回転させることにより、上記に述べた変更例を用いて、異方性表面を示す物体のＢＲＤＦを測定することも可能である。
【００５４】
この実施例はまた、ビーム内に影域を形成しないようにできる。なお、影域は、ビーム内に光源が存在することに起因するものである。
本発明の装置は、好ましくは、このように特性化された物体又は物体部分のＢＲＤＦ測定値を再構成し、それらを媒体に記録する手段を含む。
【００５５】
測定値を再構成し、媒体に記録するこれらの手段は、ビデオセンサの記録に基づいてＢＲＤＦ関数を計算できるようにする。
その様々な変更例について上記に簡単に記載した本発明の測定装置は、手が届き難い物体又は物体部分のＢＲＤＦを測定するために、特に、現場で使用することができる。
【００５６】
特に、分析のためにダッシュボードの試料を切除しなくても、自動車のダッシュボード表面のＢＲＤＦを測定するのに使用することができる。
このように、本発明の測定装置は、公知の測定装置では得るのが不可能か非常に困難であった強度測定値を、得られるようにする。
【００５７】
この測定装置は、低コストで作製でき、また、強度測定値を非常に迅速に得られるようにする。
まったく同じようなやり方で、本発明は、物体又は物体部分のＢＴＤＦ（双方向透過分布関数）、ＢＳＤＦ（双方向分散分布関数）、又は、三次元拡散を測定できるようにする。当業者にとって明らかなように、次に物体を後方から照射するような方法で光源を配置し、物体が本発明の装置により測定される強度で、光を拡散する。
【００５８】
また、本発明は、ＬＥＤ、発光表示装置、表示スクリーンなどのような発光装置の強度パターンを得られるようにする。このような状況下で、この測定装置は、正確に言えば、光源をもたない。何故なら、前記光源は、物体又は物体部分により構成されるからである。
【００５９】
第二の局面において、本発明は、物体又は物体部分の光学特性をシミュレーションするコンピュータプログラム補充機能を提供し、前記プログラムは、上記に簡単に説明したような測定装置を用いることにより、同じタイプの実在の物体で得られた光強度測定値を用いる。
【００６０】
特に、そのコンピュータプログラムは、コンピュータ援用設計（ＣＡＤ）用ソフトウェア、又は、光をシミュレーションするソフトウェアでもよい。
従って、本発明は、作製される前に物体の光学特性をシミュレーションできるプログラムを得られるようにする。このように、手が届き難いか、実験室内へ輸送が困難な物体（道路、トンネルなど）、又は、構造物（皮膚など）をシミュレーションできる。
【００６１】
本発明の他の局面及び利点は、以下の特定の実施例の説明を参照することでより明らかになる。その説明は、単なる非限定的な例として示され、添付の図面を参照して行なわれる。
【発明を実施するための最良の形態】
【００６２】
図１は、本発明による好適実施例における、物体又は物体部分の光強度を測定する装置を示す。
この明細書に記載される実施例において、この装置は、無限遠タイプで焦点に関連付けられた収束非球面レンズ形状の屈折型中央部分３と、頂点が穿孔されたパラボラ反射体形状の反射屈折型周縁部分２とを具備する。
【００６３】
当業者にとって公知のやり方で、収束非球面レンズ３をフレネル（Ｆｒｅｓｎｅｌ）レンズか、又は球面レンズ一式から構成されたレンズに置き換えてもよい。
パラボラ反射体２は、鏡面反射を用い、例えばステンレス鋼から作製でき、及び／又は材料に依存して、任意に反射処理を必要とし得る。
【００６４】
非球面レンズ３とパラボラ反射体２は、それらの光学軸Ｈと焦点Ｆ１が互いに一致するように配置される。
測定すべき光強度又はＢＲＤＦの、物体又は物体部分４は、焦点Ｆ１に置かれる。
【００６５】
この物体４は、特に、強度パターンを測定するのに望まれる光源により構成されてもよい。
この明細書に記載された好適実施例において、本発明の測定装置は、複数の視準光線光源１、例えば、５つの光源を有する。
【００６６】
これらの各光源１は、他の光源から独立している。つまり、例えばソフトウェア手段（この明細書において表示なし）により制御して、他の光源とは関係なく光線を放出するか、又は放出を中止できることを意味する。
【００６７】
この明細書において記載された実施例において、各光源１は、順に光を発すると想定される。
目的を簡略化するため、図１に二つの光源１を示し、これらの光源は、点線ｉ１とｉ２により示される各視準光線を生成するように構成される。
【００６８】
この図において、視準光線は、非球面レンズ３を通過しない。好適な実施例において、光線ｉ１、ｉ２のいくらかは、非球面レンズ３を通過するので、光学軸Ｈに対して小さな入射角αで物体を照射できる。
【００６９】
これらの視準光線ｉ１、ｉ２がパラボラ反射体２の内面に当たると、光線はパラボラ反射体の焦点Ｆ１方向へ反射され、次いで、その点に置かれた物体４により受容される。
各光線ｉ１、ｉ２は、それに特異的に予定された、光学軸Ｈに対する入射角α１、α２で、物体４により受容される。
【００７０】
物体４が、光源１から来る光線により照射されると、物体４は、光学軸Ｈに対してθで全方向に光線を拡散する。
本発明に従って、物体４により拡散され、光学軸Ｈに対して小さな傾斜角θｃを示すこれらの光線は、収束非球面レンズ３により遮られる。
【００７１】
逆に、光学軸Ｈに対して大きな傾斜角θｐで物体４により拡散された光線は、パラボラ反射体２の反射内壁により遮られる。
好ましくは、拡散光線がパラボラ反射体２により遮られる光の傾斜角は、３０〜４５°にわたる。
【００７２】
４５°を超えると、収束非球面レンズ３は、公知の画像化及び光透過の問題を示す。一方、３０°より小さいと、パラボラ反射体は、嵩高くなり過ぎる。
図１に示す実施例において、無限遠焦点タイプの結合型の収束非球面レンズ３、及び、パラボラ反射体２は、物体又は物体部分４により拡散された光から、それぞれ第一及び第二視準ビームを生成する。これらのビームは、光学軸Ｈと平行である。
【００７３】
収束非球面レンズ３とパラボラ反射体２は、光線ｒｐとｒｃが互いに交差しないような方法で配置される。
第一及び第二ビームの光線ｒｃとｒｐは、図１に示される。
【００７４】
図１に示される測定装置は、更に、対物面Ｐで、上記に述べた第一及び第二ビームを観測する手段を具備する。
第一及び第二ビームの所与の光線ｒｃ，ｒｐに対して、それぞれ符号ｈｃ，ｈｐを用いて、
・前記光線（ｒｐ，ｒｃ）が対物面Ｐに交差する点Ａ２と、
・光学軸Ｈが対物面Ｐに交差する点Ａ１と
の間の距離を表す。
【００７５】
当業者にとって明らかなように、この距離ｈｃ，ｈｐは、拡散角θｃ，θｐの関数である。
より詳細には、各距離ｈは、拡散角θに対応し、逆もまた同様である。
【００７６】
図１の実施例において、測定装置は、第一及び第二視準ビームを焦点Ｆ２に収束させる視野レンズ５を有する。
この焦点には、視野レンズ５で第一及び第二視準ビームの対物面Ｐでの画像を得るための、ビデオセンサ７に関連付けられた画像化装置６がある。
【００７７】
画像化装置６は、通常、既存の集光レンズである。もちろん、集光レンズは省略できるが（周知の“ピンホール”原理を用いることによる）、得られる画像はピントはずれで、解像度が低いＢＲＤＦが提供される。
【００７８】
また、図９に示すタイプのテレセントリック集光レンズ６’を使用でき、レンズ６’の直径は、測定すべき物体のサイズよりも大きい。視準光で作用するこのようなレンズは、第一及び第二視準ビームを集光点Ｆ２に収束させる必要がない。利点は、視野レンズを使用する必要をなくすことである。
【００７９】
このようなレンズは、当業者には公知なので、説明しない。
このようにして取り込まれる画像は、例えば、これらのビームの光線ｒｃとｒｐの光学軸からの距離ｈの関数として、第一及び第二ビームの光束をグラフ表示するため、コンピュータ８によりデジタル処理される。
【００８０】
従って、このデジタル処理は、他の適用、例えば光シミュレーション・ソフトウェアの将来的な用途のため、ＢＲＤＦをデジタル処理で再構成できるようにする。
図１０に例が示されるチャートを以下で述べる。チャートは、三つの部分Ａ、Ｂ、Ｃからなる。
【００８１】
部分Ａは、屈折型中央部分からくる光束に相当し、部分ＢとＣ（これらは対称）は、反射屈折型周縁部分からくる光束に相当する。
このチャートにおいて、これら三つの部分が互いに分離していることがわかる。従って、このチャートは、屈折型部分と反射屈折型部分との間の物理的分離に相当する、二つの不連続性域を示す。これら二つの領域は、ビームが介在しないという事実を示す。従って、好適な方法で二つのビームを完全に使用することが可能である。
【００８２】
例示のため、ビデオセンサ７は、ＣＣＤ、トリプルＣＣＤ、ＣＭＯＳ、又は、陰極管タイプの二次元センサである。
このビデオセンサは、このように、光学軸Ｈからの距離ｈｐ，ｈｃに依存して、第一及び第二ビームの光線ｒｃとｒｐの分配を提供する。
【００８３】
上記に述べたように、この距離分配は、距離ｈと拡散角θとの間が相関的な関係なので、これらの光線の拡散の角度分布θを得るのに役立つ。
従って、この装置は、物体４により拡散された光の傾斜角θｐ，θｃの関数として、及び、物体４により受容されて光源１からくる光線の入射角αの関数として、第一及び第二ビームの光線ｒｐ，ｒｃの強度を測定できるようにする。
【００８４】
好適実施例において、光源１は白色光を放出し、ビデオセンサは当業者にとって公知のＲＧＢセンサである。
従って、本発明の装置は、人間の眼が感じやすい三原色（赤、緑、青）の関数として、第一及び第二ビームの光線ｒｐ，ｒｃの強度を測定できるようにする。
【００８５】
これにより、カラーＢＲＤＦが得られるようになるので、表面が虹色の物体４の色を、再生できる。
図１に示すように、上記した測定装置は、頂点が貫通されたパラボラ反射体２と、収束非球面レンズ３とを互いに分離したまま、これら二つの要素を結合することにより、第一の構成で作製することができる。
【００８６】
図２は、パラボラ反射体２と収束非球面レンズ３を、例えば機械加工によるか、型成形により得られる、同じ透明な誘電体材料の単一ブロックとして作製した、図１の装置の実施例を示す。
【００８７】
この実施例において、パラボラ反射体は、全内部反射により作用する。より詳細には、
・収束レンズ３は、光学軸Ｈに垂直な正面３ａと、焦点Ｆ１に中心がある対称性球状背面３ｂとを備え、
・パラボラ反射体２は、同様に焦点Ｆ１に中心がある球状正面２ａと、光学軸Ｈに垂直な背面２ｂとを備える。
【００８８】
図２に示すように、パラボラ反射体２の正面２ａは、収束非球面レンズ３の正面３ａを広げる。
同様に、背面２ｂは、表面２ｃにより、収束非球面レンズ３の球状背面３ｂに連結される。
【００８９】
図３を参照して、次に、本発明の測定装置の別の実施例の説明を行う。
この実施例において、屈折型中央部分３は、実在の物体と実像タイプを結合する収束非球面レンズにより構成される。
【００９０】
この実施例において、反射屈折型周縁部分は、内面が鏡面反射を用いる楕円反射体２により構成される。
この実施例において、収束非球面レンズ３と反射楕円反射体２は、第一及び第二ビームの光線ｒｐ，ｒｃが共通の焦点Ｆ３に収束するような方法で配置される。
【００９１】
この実施例において、測定装置は視野レンズ５を有さず、ビデオセンサ７のレンズは、焦点Ｆ３に設置される。
図４は、本発明の測定装置の第４実施例の線図である。
【００９２】
この実施例において、屈折型中央部分３は、収束非球面界面により構成される。
この第４実施例の反射屈折型周縁部分２は、大きな傾斜角で拡散された場合に前記物体又は物体部分により拡散される光の入口界面と、全内部反射で作用する反射面と、及び、前記第二ビームの出口界面とを具備する。
【００９３】
より詳細には、反射屈折型周縁部分２は、焦点Ｆ１に中心がある球状正面２ａと、同様に球状で焦点Ｆ３に中心がある背面２ｂとを有する。
厚いレンズにより構成される屈折型中央部分３は、光学軸Ｈに垂直な正面２ａと、非球面の背面２ｂとを有する。
【００９４】
図５は、本発明の測定装置の第５実施例の屈折型中央部分と反射屈折型周縁部分の線図である。
この実施例において、反射屈折型周縁部分２は、光学軸Ｈに一致する回転軸を有するドームにより構成される。
【００９５】
このドームの外面は、全内部反射で作用して光学軸Ｈへ向けるために光線を局所的に反射するミラーとして働く微小プリズム１００で覆われている。これらの微小プリズム１００は、平面又はパラボラ状の反射面を備えてもよい。とにかく、これらの微小プリズム１００は、試料により拡散された光から視準ビームを生成する。
【００９６】
反射屈折型中央部分は、図１の収束非球面レンズ３と同じ光学機能のフレネル（Ｆｒｅｓｎｅｌ）レンズである。
上記に記載した５つの実施例において、視準光線源１は、当業者にとって公知のレーザか半導体レーザにより構成してもよい。
【００９７】
この実施例は、特に、高い角解像度が要求された場合に、及び／又は、スペクトル情報が役に立たない場合に、物体又は物体部分のＢＲＤＦを測定するのに適している。
これは、特に、スペクトル依存性がすでに公知で、観察角度に相関しない非虹色面に適用される。
【００９８】
本発明による測定装置で使用するのに適した光源１’は、図６を参照して以下に記載される。
光源１’は、視準レンズ１６の焦点Ｆ４に配置される視野絞り１４の上流に置かれるＬＥＤ１３を具備する。
【００９９】
公知のように、視野絞りは、ＬＥＤ１３による光線出力の発散を制御するのに役立つ。
また、この光源１’は、ＬＥＤ１３により放出されたビームの開口を制御するため、視準レンズ１６の近くに設置される開口絞り１５を有する。
【０１００】
光源１’を構成する様々な要素の配置は、低い発散性及び制限部分を有する視準ビームを得るのに役立つ。
本発明による、図１〜４を参照して記載された測定装置は、複数の定置式光源１、１’を含み、それぞれが順に視準光線を発する。
【０１０１】
これらの光源は、屈折型中央部分３及び反射屈折型周縁部分２の焦点Ｆ１に設置された光源の強度パターンを測定する場合に、必要ないことが想起される。
可動式で、本発明の測定装置で使用するのに適した二つの改変型光源を、以下に説明する。
【０１０２】
図７は、レール３０に沿って並進して移動できる単一光源１”を示す。
この光源１”は、特に、図１に示す種類の測定装置で使用することができ、レール３０は光学軸Ｈに垂直に置かれるので、可動式光源１”は、前記光学軸Ｈに平行な光線を放出する。
【０１０３】
このような状況下で、光源１”は、図１を参照して上記に記載したような、様々な光源１の位置を占めることができる。
この可動式光源１”は、また、光源１”により放出された光線が、焦点Ｆ３から遠ざかる方向を向くような方法で、レール３０が配置される唯一の条件に基づいて、図２の実施例で使用することができる。
【０１０４】
とにかく、可動式光源１”は、この明細書において示されない手段により、レール３０に沿って移動することができる。
この実施例では、レール３０に沿って光源１”を移動させることにより、物体４を様々な入射角αで照射できるようにするので、特に好適である。
【０１０５】
図８は、例えば、図１又は図２の実施例におけるように、屈折型中央部分３及び反射屈折型中央部分２が第一及び第二視準ビームを生成した場合に、本発明による装置で使用するのに適した改変型の単一可動式光源１”’を示す。
【０１０６】
上記したように、このような実施例は、焦点Ｆ３に第一及び第二ビームの光線ｒｃとｒｐを収束できるようにした視野レンズ５を有する。
この明細書において記載された変更例において、本発明の測定装置は、前記視野レンズ５と画像化装置６との間に配置される半反射板１８を有する。
【０１０７】
この半反射板１８は、第一及び第二ビームの光線ｒｃとｒｐを通過させ、画像化装置６上に収束させる。
この実施例において、光源１”’は、半反射板１８に対して、視野レンズ５の画像焦点Ｆ４を中心にして回転することができる。
【０１０８】
この配置において、半反射体１８は、単一光源１”’により生成された視準ビームを、物体４の方向に反射する。
より詳細には、物体４により受容された光線の入射角αは、半反射板１８に対する光源１”’の方位に直接依存する。
【０１０９】
この実施例は、異方性の表面を示す物体又は物体部分４のＢＲＤＦを測定するのに使用できるので、特に好適である。
変更例においては、二本の軸を中心に回転できるミラーに関連付けられた定置式光源を使用でき、ミラーは、視野レンズ５の画像焦点Ｆ４に中心があり、光源は、ミラーの中心に反射される視準光線を放出する。
【０１１０】
明らかに、図８を参照して、上記したような単一の可動式光源は、図３と図４に示すような本発明の測定装置の実施例で用いることができる。このような状況下では、当業者は、視野レンズが使用されないことがわかるであろう。
【０１１１】
上記したような本発明の測定装置の様々な実施例は、物体の照射角αの関数として、物体の観察方向θの関数として、及び、白色光源をＲＧＢカラービデオカメラに組み合わせて使用する場合の偏光の関数として、物体又は物体部分のＢＲＤＦを測定するのに使用することができる。
【０１１２】
本発明のこれらの実施例は全て、屈折型中央部分と反射屈折型周縁部分とを結合したため、特にコンパクトであるという利点を示す。
また、それらは、半分のスペースに放出された光の全てを測定できるようにする。
【０１１３】
また、図７を参照して記載された好適実施例では、特性化すべき物体に対して装置を動かす必要がなく、虹色面のＢＲＤＦを測定できる。
更に、当業者にとって明らかな方法で、本発明の測定装置を、半透明面のＢＴＤＦの測定に用いることができる。反射される光ではなく、特性化すべき物体又は物体部分により透過される光強度が、このような状況下で測定される。
【０１１４】
従って、これらの様々な実施例によれば、手が届きにくいか、試料採取が望ましくない物体又は表面のＢＲＤＦを、測定できる。
本発明の測定装置は、特性化すべき物体を走査させれば足りるので、使用するのが非常に簡単である。更に、取り込んだ強度測定データを、例えばＢＲＤＦ関数を再構成するために、コンピュータプログラムによりデジタル処理することができる。更に、このＢＲＤＦ関数を、次のＣＡＤ、画像合成、又は、光シミュレーション・ソフトウェアで使用することができる。
【０１１５】
従って、これらのコンピュータプログラムによれば、物体の光学特性又は光に対する物体の挙動の、特に現実的なシミュレーションを提供することができる。
従って、本発明の好適な用途は、製造される前に物体の光学的挙動を非常に現実的に予測できるようにするので、コンピュータ援用設計用及び光シミュレーション用ソフトウェアの分野にある。
【図面の簡単な説明】
【０１１６】
【図１】四つの好適実施例における本発明による測定装置を示す図。
【図２】四つの好適実施例における本発明による測定装置を示す図。
【図３】四つの好適実施例における本発明による測定装置を示す図。
【図４】四つの好適実施例における本発明による測定装置を示す図。
【図５】四つの好適実施例における本発明による測定装置を示す図。
【図６】本発明による測定装置で使用できる光源を示す図。
【図７】本発明による測定装置で使用できる光源を示す図。
【図８】本発明による測定装置で使用できる光源を示す図。
【図９】本発明に関連するテレセントリックレンズの作用を示す図。
【図１０】本発明による測定装置により得られる光束強度のグラフ例。
【図１】
2007508532.tif 000003
【図２】
2007508532.tif 000004
【図３】
2007508532.tif 000005
【図４】
2007508532.tif 000006
【図５】
2007508532.tif 000007
【図６】
2007508532.tif 000008
【図７】
2007508532.tif 000009
【図８】
2007508532.tif 000010
【図９】
2007508532.tif 000011
【図１０】
2007508532.tif 000012
【国際調査報告】
2007508532.tif 000013
2007508532.tif 000014
2007508532.tif 000015
2007508532.tif 000016
2007508532.tif 000017
2007508532.tif 000018